(57)【要約】【課題】  撃ち出された輪ゴム１２等が手前に戻って来て、輪ゴム等の回収、探索が不用、遊びの中断、興趣の低下が無いゴム銃２０を提供。【解決手段】  弾となる輪ゴム等が、目標側係止ピン３と洗濯挟み６との間に張架される。この際、その線条の一方１８は、他方１９より引伸ばして張架される。目標側係止ピンと洗濯挟みとの間に、少なくとも１個のガイド（１３〜１５）が配置される。このガイドは、目標側係止ピンと洗濯挟みの口６ｆとを結ぶ直線から何れかに偏倚されている。張架により２本となる線条は、このガイドの外側を周回するように張架される。輪ゴム手前側が開放されると、輪ゴムは目標に向って発射される。ガイドで外側に屈曲され、且つ２本の線条の一方が強く伸張されている。輪ゴムは輪形になり逆回転を始める。弧を描きながら前方に飛んで行き、床２１等に落下。そこから逆回転の力で手前側に転動し戻って来る。【選択図】図１
2010175191.tif 000002
【特許請求の範囲】
【請求項１】
目標側に配置された目標側係止手段と、
手元側に配置された係止開放手段と、
これら各手段の間に配置された少なくとも１個の案内手段とを有し、
該案内手段は、前記二つの係止手段を結ぶ直線から何れかに偏倚して配置されており、
前記案内手段の外側を周回するように、且つ張架により２本となる線条の一方が他方よりも伸長された状態になるように、前記目標側係止手段と前記係止開放手段との間に輪形ゴム線条が張架される
ことを特徴とするゴム銃。
【請求項２】
前記案内手段が２以上配置されている
ことを特徴とする請求項１に記載のゴム銃。
【請求項３】
前記案内手段の前記輪形ゴム線条に当接する部分が滑り防止性を備える
ことを特徴とする請求項１又は請求項２に記載のゴム銃。
【請求項４】
仮止めピンが備えられている
ことを特徴とする請求項１、請求項２又は請求項３に記載のゴム銃。
【発明の詳細な説明】
【技術分野】
【０００１】
本発明はゴム銃に関する。詳しくは、輪ゴム、或いは両端を結んで輪にしたゴム紐等の輪形ゴム線条自体を弾として発射するゴム銃に関する。特に発射された輪形ゴム線条が、床、地面等の上を転動し、手前まで戻ってくるように構成されたゴム銃に関する。
【背景技術】
【０００２】
従来、ゴム銃、例えば輪ゴム銃に於て、撃ち出された輪ゴムは真っ直ぐ飛んで行く。そして、床、地面等に落ちる（例えば特許文献１、特許文献２参照。）。場合によっては、どこに行ったか判らなくなる。
【先行技術文献】
【特許文献】
【０００３】
【特許文献１】特開２００６−２０７９８６号公報
【特許文献２】実開昭５７−１１４２９５号公報
【発明の概要】
【発明が解決しようとする課題】
【０００４】
このため、輪ゴム等を撃ち出して遊んだあとは、あちこち移動して、落ちている輪ゴム等を回収しなければならず、場合によっては探し回らなければならなかった。このため遊びが中断する感じとなり、興が削がれるという問題があった。
本発明の目的は、このような問題を解決することにある。即ち、撃ち出された輪形ゴム線条が手前に戻って来るようにし、以て、輪ゴムを回収したり探索したりする手間が無く、遊びの中断が起らず、興が削がれないゴム銃を実現することにある。
【課題を解決するための手段】
【０００５】
上記目的達成のため請求項１の発明では、目標側に配置された目標側係止手段と、手元側に配置された係止開放手段と、これらの間に配置された少なくとも１個の案内手段とを有し、該案内手段は、前記二つの係止手段を結ぶ直線から何れかに偏倚して配置されており、前記案内手段の外側を周回するように、且つ張架により２本となる線条の一方が他方より伸長されているように、前記目標側係止手段と前記係止開放手段との間に輪形ゴム線条が張架される。
また、請求項１を引用する請求項２の発明では、前記案内手段が２以上配置されている。
また、請求項１又は請求項２を引用する請求項３の発明では、前記案内手段の前記輪形ゴム線条に当接する部分が滑り防止性を備えている。
また、請求項１、請求項２又は請求項３を引用する請求項４の発明では、仮止めピンが備えられている。
【発明の効果】
【０００６】
本発明では、発射された輪ゴムが手前に戻って来る。従って、輪ゴムを撃ったあと、それを回収しに行ったり、場合によっては探し回る手間は無くなる。遊びが中断するような雰囲気は無くなり、興が削がれるようなことは無くなる。
【図面の簡単な説明】
【０００７】
【図１】本発明の実施の形態の一例２０を示す斜視図。
【図２】本発明の実施の形態の一例２０に於て、仮止めピン１７を使用して各ガイドの外側に輪ゴムを周回させた状態を示す斜視図。
【図３】本発明の実施の形態の一例２０に於て、洗濯挟みの口６ｆに輪ゴムを銜えさせ、手元側係止手段に使用者が指を掛けた状態を示す斜視図。
【図４】本発明の実施の形態の一例２０について、撃ち出された輪ゴムの振舞いの一例を示す説明図。
【発明を実施するための形態】
【０００８】
発射されるべき輪形ゴム線条が、目標側係止手段と手元側係止開放手段との間に張架される（手元側＝図１右側）。この際、張架により２本となる線条の一方は、他方より引伸ばされた状態とされる。目標側係止手段と手元側係止開放手段との間には、少なくとも１個の案内手段が配置されている（目標側＝図１左側）。この案内手段は、二つの係止手段を結ぶ直線から何れかに偏倚されている。
２本となる線条は、この案内手段の外側を周回するように張架される。手元側係止開放手段が操作され輪ゴム手前側が開放されると、輪ゴムは前方に発射される。案内手段で外側に屈曲され、且つ２本の線条の一方が強く伸張されているので、輪形ゴム線条は、円形となり逆回転を始める。そして、弧を描きながら前方に飛び、床や地面に落ちる。逆回転しているので、その力で手前側に転動し、戻って来る。
【０００９】
図１に、本発明の実施の形態の一例である輪ゴム銃２０を示す。図に於て、１は銃床相当部で、ほぼ方形に形成されている。２は銃把相当部で、銃床相当部１の手前に、上方に向って延設されている。本実施の形態例２０では、木の板材から、この銃床相当部１と銃把相当部２とが一体で切り出されている。もちろん別体であっても構わない。また、図示されているのは試作品に過ぎず、この形状に限定されるものではない。商品化の場合は、デザインを工夫すべきであろう。
【００１０】
銃床相当部１の目標側下部には、目標側係止ピン３が突設されている。銃把相当部２の目標側下部には、洗濯挟み用ピン４が立設されている。そして、銃把相当部２の前方側には洗濯挟み６が固定されている。洗濯挟み６は銃把相当部２に接する一方の部材６ａと、これに対向された他方の部材６ｂからなる。これら部材の先端近くの各孔に前記洗濯挟み用ピン４が挿通されている。これにより、洗濯挟み６の位置が定められる。
銃把相当部２に接する一方の部材は、その顎部分６ｃと柄部分６ｄに輪ゴム７が掛けられていて、これらで銃把相当部２に縛り付けられている。別の輪ゴム９が両方の部材の先端部分に周回されている。これにより、使用者が他方の部材の柄の部分６ｅに指先１１を掛けて引き付ければ、二つの部材の先端部、即ちこの洗濯挟みの口６ｆが開き、離せばこれが閉じる。
【００１１】
なお、この洗濯挟み６も手近にあるものを用いたに過ぎない。輪ゴム１２を掴んでいられるものなら何でも良い。商品化の際はデザインを考慮するのが好ましい。
銃床相当部１には、第１ガイド１３、第２ガイド１４及び第３ガイド１５が突設されている。これら各ガイド１３，１４，１５は、目標側係止ピン３と洗濯挟みの口６ｆとを結ぶ直線より一方の側に偏倚して配置されている。また、その側面は、例えばゴム等を被せられ、滑りにくくされている。紙やすりのように表面を粗面化しても良い。１７は仮止めピンである。
【００１２】
輪ゴム１２を装填した、発射前の状態を図２に示す。輪ゴム１２は、最初、目標側係止ピン３と仮止めピン１７との間に張架する。図では２点鎖線で示す。こうした方が、あとの作業がし易いからである。
張架した輪ゴム１２を、手元側と下側とに伸長して、第１ガイド１３、第２ガイド１４及び第３ガイド１５の外側に周回させる（図２）。輪になっているものが張架されるので、輪ゴム１２は２本の線条１８，１９となる。このうち、外側となる線条１８を、内側となる線条１９より引伸ばされた状態とする。ここで、外側となる線条１８とは、仮止めピン１７に於て手前側になる線条、或いは目標側係止ピン３に於て目標側となる線条をいう。
【００１３】
外側となる線条１８を、内側となる線条１９より引伸ばされた状態にする手順の具体例を挙げると、仮止めピン１７の側については、指で摘んで右に引張り、仮止めピン１７の外周を回らせて、外側から内側に送る。目標側係止ピン３の側については、指で摘んで左に引張り、目標側係止ピン３の外周を回らせて、同じく外側から内側に送る。
輪ゴム１２は滑りが悪い。しかも、各ガイド１３，１４，１５は、上記のとおり滑りが起きにくい構造とされている。従って、輪ゴム１２の両端だけ内側に送っても、場合によっては、線条１８の中間部分の伸びが十分でないかも知れない。
このような場合は、上記仮止ピン１７付近と目標側係止ピン３付近についての引伸ばしのあと、第１ガイド１３、第２ガイド１４又は第３ガイド１５周回部分についても、その部分の線条１８に指に掛け左右に動かすなどして、線条１８の引伸ばしを線条全体に行き渡らせても良い。更には、これらと前記両端での引伸ばしとを繰り返しても良い。
【００１４】
こうして、一方の線条１８の引伸ばしをしたら、輪ゴム１２の仮止ピン１７に係合された部分を指で摘んで外し、洗濯挟みの口６ｆに挟み直す。図３に、この状態を示す。これで発射準備完了である。
銃把相当部２を握り、図４に示すように、目標側係止ピン３を目標方向に向ける。この状態で、引き金、即ち洗濯挟みの他方の部材の柄の部分６ｅを手前に引く。洗濯挟みの口６ｆに掴まれていた輪ゴム１２が開放され、輪ゴム１２は目標に向って発射される。
輪ゴム１２は、各ガイド１３，１４，１５により、その経路が屈曲されている。また、２本の線条の一方１８が強く伸張されている。ゴム銃２０を離れて行く輪ゴム１２は、洗濯挟み６に掴まれていた部分が下方に向って網打ちをされるが如く揺動し、これと合わせて伸長されていた線条部分１８が収縮する。
【００１５】
輪ゴム１２は文字どおり輪のように広がる。そして逆回転を始める。その状態で弧を描きながら前方に飛んで行き、床或いは地面２１に落ちる。
このとき輪ゴム１２は逆回転している。従って、この逆回転の勢いで、床或いは地面２１に落ちた輪ゴム１２は、回転しつつ手前に戻って来る。
なお、第１ガイド１３は、第２ガイド１４、第３ガイド１４に比べ、大きな直径にされている。理由は定かではないが、こうにした方が、手前への輪ゴム１２の戻り具合が良好であった。
【００１６】
また、各ガイド１３，１４，１５の表面はゴムで覆われていて、輪ゴム１２の滑りを止める構造とされている。実験では、このようにしておいた方が、即ち釘などの素材が剥き出しのときよりは、輪ゴム１２の戻り具合が良かった。
輪ゴム１２と各ガイド１３，１４，１５の間に摩擦が生じている状態、及び内側１９と外側１８との線条の張りの違う状態は、輪ゴム１２が離れて行く間、そのまま維持される。これが為、輪ゴム１２の逆回転が強くなっているものと推測される。
【００１７】
また、ガイドは１個、例えば第１ガイド１３だけであっても、輪ゴム１２は戻って来た。しかし、例えば第１ガイド１３と第２ガイド１４というように、２個にした方が戻りは良かった。実施の形態例２０のように３個にすると（１３，１４，１５）戻りは更に良かった。
【００１８】
念のため、実施の形態例２０の構成と請求項にいう構成との対応関係を説明しておく。目標側係止ピン３が目標側係止手段に当る。洗濯挟み６が係止開放手段に当る。第１ガイド〜第３ガイド１３〜１５が案内手段に当る。輪ゴム１２が輪形ゴム線条に当る。各ガイド１３〜１５がゴムで覆われていることが滑り防止性を有することに当る。
【符号の説明】
【００１９】
１…銃床相当部
２…銃把相当部
３…目標側係止ピン
４…洗濯挟み用ピン
６…洗濯挟み
６ａ…洗濯挟みの銃把相当部に接する部材
６ｂ…洗濯挟みの他方の部材
６ｃ…洗濯挟みの顎
６ｄ…洗濯挟みの銃把相当部に接する側の柄の部分
６ｅ…他方の部材の柄の部分
６ｆ…洗濯挟みの口
７…顎に掛けられた輪ゴム
８…銃把相当部に接する側の柄の部分に掛けられた輪ゴム
９…両方の部材の先端部分に周回された輪ゴム
１１…指先
１２…飛ばす輪ゴム
１３…第１ガイド
１４…第２ガイド
１５…第３ガイド
１７…仮止めピン
１８…外側の線条
１９…内側の線条
２０…輪ゴム銃
２１…床或いは地面
【図１】
2010175191.tif 000003
【図２】
2010175191.tif 000004
【図３】
2010175191.tif 000005
【図４】
2010175191.tif 000006
【手続補正書】
【提出日】平成21年8月24日(2009.8.24)
【手続補正１】
【補正対象書類名】特許請求の範囲
【補正対象項目名】全文
【補正方法】変更
【補正の内容】
【特許請求の範囲】
【請求項１】
銃床相当部及びその手元側から上方へ延設された銃把相当部と、
前記銃床相当部上に設けられ、目標側に配置された目標側係止手段と、
前記銃把相当部上に設けられ、手元側に配置された係止開放手段と、
これら各手段の間に配置された少なくとも１個の案内手段とを有し、
前記係止開放手段は上方に、目標側係止手段は下方であって目標側に配置され、
前記案内手段は、前記係止開放手段と前記目標側係止手段とを結ぶ直線から、手元側及び下方側となる側に配置されており、
前記案内手段の外側を周回するように、且つ張架により２本となる線条のうち、外側となる方が内側となる方より伸長された状態になるように、前記目標側係止手段と前記係止開放手段との間に輪形ゴム線条が張架される
ことを特徴とするゴム銃。
【請求項２】
前記案内手段が２以上配置されている
ことを特徴とする請求項１に記載のゴム銃。
【請求項３】
前記案内手段の前記輪形ゴム線条に当接する部分が滑り防止性を備える
ことを特徴とする請求項１又は請求項２に記載のゴム銃。
【請求項４】
仮止めピンが備えられている
ことを特徴とする請求項１、請求項２又は請求項３に記載のゴム銃。
【手続補正２】
【補正対象書類名】明細書
【補正対象項目名】０００５
【補正方法】変更
【補正の内容】
【０００５】
上記目的達成のため請求項１の発明では、銃床相当部及びその手元側から上方へ延設された銃把相当部と、前記銃床相当部上に設けられ、目標側に配置された目標側係止手段と、前記銃把相当部上に設けられ、手元側に配置された係止開放手段と、これら各手段の間に配置された少なくとも１個の案内手段とを有し、前記係止開放手段は上方に、目標側係止手段は下方であって目標側に配置され、前記案内手段は、前記係止開放手段と前記目標側係止手段とを結ぶ直線から、手元側及び下方側となる側に配置されており、前記案内手段の外側を周回するように、且つ張架により２本となる線条のうち、外側となる方が内側となる方より伸長された状態になるように、前記目標側係止手段と前記係止開放手段との間に輪形ゴム線条が張架される。
また、請求項１を引用する請求項２の発明では、前記案内手段が２以上配置されている。
また、請求項１又は請求項２を引用する請求項３の発明では、前記案内手段の前記輪形ゴム線条に当接する部分が滑り防止性を備えている。
また、請求項１、請求項２又は請求項３を引用する請求項４の発明では、仮止めピンが備えられている。